(57)【要約】【課題】縁の幅が異なるヘルメットに使用しても容易に脱落することがなく、表示具のフックの下端がヘルメットの側面に突出することを防止できるヘルメット用表示具を提供する。【解決手段】帯状のバンド部の両端にフックを設けてヘルメットに係止するヘルメット用表示具であって、前記フックがＬ字状であり、該Ｌ字部の内角が５５〜７５°の範囲内であり、好ましくはする前記フックに挟み込み部材を設け、該挟み込み部材により前記バンド部を挟んで固定することにより、前記フックとバンド部とが着脱自在であることを特徴とするヘルメット用表示具。【選択図】  図３
0003149403.tif 000002
【実用新案登録請求の範囲】
【請求項１】
帯状のバンド部の両端にフックを設けてヘルメットに係止するヘルメット用表示具であって、
前記フックがＬ字状であり、該Ｌ字部の内角が５５〜７５°の範囲内であることを特徴とするヘルメット用表示具。
【請求項２】
前記フックに挟み込み部材を設け、該挟み込み部材により前記バンド部を挟んで固定することにより、前記フックとバンド部とが着脱自在であることを特徴とする請求項１に記載のヘルメット用表示具。
【請求項３】
前記バンド部が複数条の帯からなることを特徴とする請求項１または請求項２に記載のヘルメット用表示具。
【考案の詳細な説明】
【技術分野】
【０００１】
本考案は、帯状のバンド部の両端にフックを設けてヘルメットに係止するヘルメット用表示具に関する。
【０００２】
具体的には、工事現場等で作業員のヘルメットに取り付けて使用され、帯状のバンド部に種々の着色を施すことにより、工事作業員の職種や熟練度等を色によって表示し識別するヘルメット用表示具に関する。
【背景技術】
【０００３】
工事現場等では、新規入場教育後、作業員のヘルメットに氏名等を記入したシールを貼って作業員の職種や熟練度等を表示し識別していた。
【０００４】
しかし、このシールを用いる方法では、他の工事現場のシールが貼られている場合があり、作業員の識別ができない場合があった。
【０００５】
そこで、図１に示す帯状のバンド部１の両端にフック２を設けてヘルメットに係止するヘルメット用表示具が考案され、意匠登録第１００５６９８号（下記特許文献１）として登録されている。
【０００６】
このヘルメット用表示具は、図２に示すように、フック２により、ヘルメットの縁に係止することができるため、表示具を取り替えて異なる色のバンド部１を有する表示具にすることができるうえ、シールの貼付によりヘルメットを汚すこともない。
【０００７】
しかし、ヘルメットの形状は様々であり、ヘルメットの縁の幅が異なるものが多いため、表示具がヘルメットから容易に脱落したり、表示具のフック２の下端がヘルメットの側面に突出するという問題点があった。
【特許文献１】意匠登録第１００５６９８号公報
【考案の開示】
【考案が解決しようとする課題】
【０００８】
本考案は、前述のような従来技術の問題点を解決し、縁の幅が異なるヘルメットに使用しても容易に脱落することがなく、表示具のフックの下端がヘルメットの側面に突出することを防止できるヘルメット用表示具を提供することを課題とする。
【課題を解決するための手段】
【０００９】
本考案は、前述の課題を解決すべく、帯状のバンド部の両端に設けたフックの形状を工夫することにより、縁の幅が異なるヘルメットに使用しても容易に脱落することがなく、表示具のフック下端がヘルメットの側面に突出することを防止できるヘルメット用表示具を提供するものであり、その要旨とするところは実用新案登録請求の範囲に記載した通りの下記内容である。
（１）帯状のバンド部の両端にフックを設けてヘルメットに係止するヘルメット用表示具であって、
前記フックがＬ字状であり、該Ｌ字部の内角が５５〜７５°の範囲内であることを特徴とするヘルメット用表示具。
（２）前記フックに挟み込み部材を設け、該挟み込み部材により前記バンド部を固定することにより、前記フックとバンド部とが着脱自在であることを特徴とする（１）に記載のヘルメット用表示具。
（３）前記バンド部が複数条の帯からなることを特徴とする請求項１または請求項２に記載のヘルメット用表示具。
＜作用＞      
（１）の考案によれば、帯状のバンド部の両端に設けたフックのＬ字部の内角を５５〜７５°の範囲内にすることにより、縁の幅が異なるヘルメットに使用してもフックがヘルメットの縁をしっかりと押さえるので容易に脱落することがなく、表示具のフックの下端がヘルメットの側面に突出することを防止できる。
（２）の考案によれば、前記フックとバンド部とが着脱自在であることにより、バンド部の色を変更することができるうえ、バンド部の表裏を異なる色にすることによって表裏を取り替えてリバーシブルに使用することができる。
（３）の考案によれば、前記バンド部が複数条の帯からなるので、複数条の帯同士を離してヘルメットに装着することにより表示具を目立たせることができるうえ、複数条の帯の位置を自由に変えることができる。
【考案の効果】
【００１０】
本考案によれば、縁の幅が異なるヘルメットに使用しても容易に脱落することがなく、表示具のフックの下端がヘルメットの側面に突出することを防止できるうえ、バンド部を取り替えたりバンド部の表裏を取り替えて使用することができるなど、産業上有用な著しい効果を奏する。
【考案を実施するための最良の形態】
【００１１】
本考案を実施するための最良の形態について図１〜図４を用いて詳細に説明する。
【００１２】
図１〜図４において、１はバンド部、２はフック、３はフックのＬ字部の内角、４は挟み込み部材を示し、同じ要素については同じ番号を付することにより重複した説明を省略する。
【００１３】
図１は、従来のヘルメット用表示具を例示する図であり、(a)は正面図、(b)は背面図、(c)は平面図、(d)は断面図である。
【００１４】
図１に示すように、従来のヘルメット用表示具は、帯状のバンド部１の両端にフック２を設けてヘルメットに係止することにより、表示具を取り替えて、異なる職種や熟練度の作業員が使用することができる。
【００１５】
しかし、この従来のヘルメット用表示具に用いるフックは、図１（c）,(d)に示すように、フックの断面形状が矩形であり、その内角が９０°であったため、縁の幅が異なるヘルメットに使用した場合に、容易に脱落し易いという問題点があった。
【００１６】
図２は、ヘルメット用表示具の使用状態を示す斜視図である。図２に示すようにフック２をヘルメットに係止したとき、従来の表示具は、矢印で示すようにフック２の下端が外側に回転してヘルメットの両サイドに突出するという問題点があった。
【００１７】
図３及び図４は、本考案のヘルメット用表示具の断面図及び斜視図である。  
【００１８】
図３に示すように、本考案のヘルメット用表示具に用いるフック２は、断面形状がＬ字状であり、該Ｌ字部の内角が５５〜７５°の範囲内であることにより、縁の幅が異なるヘルメットに使用してもフック２がヘルメットの縁をしっかりと押さえるので容易に脱落することがなく、表示具のフックの下端がヘルメットの側面に突出することを防止できる。すなわち、図３に示すＬ字部にヘルメットの縁を差し込むことによって、フック２の内面がヘルメットの縁をしっかりと押さえることができるので、縁の幅が０〜１５ｍｍの範囲で異なるヘルメットに使用してもフック２がヘルメットの縁をしっかりと押さえるので容易に脱落することがなく、表示具のフックが図３の矢印の方向に回転モーメントが働くため、フック２の下端がヘルメットの側面に突出することを防止できる。このフックは、図４に示すように2本の爪を設けることにより、ヘルメットと爪との接点を２箇所にすることにより、ヘルメットとフック２とが滑りにくくすることができる。
【００１９】
また、好ましくは、前記フック２に挟み込み部材４を設け、該挟み込み部材４により前記バンド部１を固定することにより、前記フック２とバンド部１とが着脱自在であることにより、異なる色のバンド部に取り替えることができるうえ、バンド部の表裏を異なる色にしておいて、表裏を取り替えてリバーシブルに使用することができる。
【００２０】
前記フックとバンド部とを着脱自在にする方法は、図４に示すようにフック２に挟み込み部材４を設け、この挟み込み部材を矢印の方向に回転させバンド部材を挟み込んで固定する方法が簡便であり好ましい。このフックとバンド部との取り付け箇所にはマイナスドライバー等の平たいものを差し込んで力を加えると外れるように切り込みを入れることにより簡単に着脱できる。
【００２１】
また、前記バンド部２を複数条の帯状にするこよによって、複数条の帯同士を離してヘルメットに装着することにより表示具を目立たせることができるうえ、複数条の帯の位置を自由に変えることができる。
【００２２】
また、バンド部はスポンジ状の伸縮性のある素材を用いることにより、ヘルメットとフックとを密着させてしっかりと固定することができ、フックは弾性を有するプラスチックを用いることにより、バンド部のテンションによってどのようなヘルメットにもフィットさせることができる。
【００２３】
なお、前記フックの角部にＲを取ることによって、使用者の頭が角部にぶつかっても痛くないようにすることが好ましい。
【実施例】
【００２４】
縁の幅が０〜１５ｍｍのヘルメットについて、フックのＬ字部の内角を４０〜９０°の範囲で５°間隔で変化させて、表示具の脱落の有無とフックの両サイドへの突出状況を調べた結果、Ｌ字部の内角が５５°未満では、ヘルメットの縁が差し込めないヘルメットがあり、また、Ｌ字部の内角が７５°を超えるとフックがヘルメットの両サイドに突出することが確認でき、本考案の範囲であるＬ字部の内角が５５〜７５°の範囲内では表示具の脱落もフックの両サイドへの突出も生じなかったことから本考案の効果を確認することができた。
【図面の簡単な説明】
【００２５】
【図１】従来のヘルメット用表示具を例示する図である。
【図２】ヘルメット用表示具の使用状態を示す斜視図である。
【図３】本考案のヘルメット用表示具の断面を例示する図である。
【図４】本考案のヘルメット用表示具を例示する斜視図である。
【符号の説明】
【００２６】
１  バンド部
２  フック
３  Ｌ字部の内角
４  挟み込み部材
【図１】
0003149403.tif 000003
【図２】
0003149403.tif 000004
【図３】
0003149403.tif 000005
【図４】
0003149403.tif 000006